(57)【要約】      （修正有）【課題】ミラー基材の撓みによって、ミラー基材に貼設された反射面に歪みが生じ、反射面により反射した像に歪みが生じる。【解決手段】樹脂製ミラー１であって、ミラー基材２０と、反射フィルム１０と、補強材３０と、を備える。ミラー基材は、可撓性樹脂の板状部材である。反射フィルムは、ミラー基材の一方の面に貼設され、外部からの光を反射するシート材である。補強材は、ミラー基材において反射フィルムが貼設されている面と反対側の面に貼設された板状部材である。【選択図】図１
2019219445.tif 000002
【特許請求の範囲】
【請求項１】
可撓性樹脂の板状部材であるミラー基材（２０）と、
前記ミラー基材の一方の面に貼設され、外部からの光を反射するシート材である反射フィルム（１０）と、
前記ミラー基材において前記反射フィルムが貼設されている面と反対側の面に貼設された板状部材である補強材（３０）と、
を備える、樹脂製ミラー（１）。
【請求項２】
請求項１に記載の樹脂製ミラーであって、
前記補強材は、熱に対する膨張及び収縮がミラー基材に比して小さい材料が用いられる、樹脂製ミラー。
【請求項３】
請求項１又は請求項２に記載の樹脂製ミラーであって、
前記補強材の板面のうち、ミラー基材が貼設された面を基材補強面とし、当該基材補強面と反対側の面を枠設置面とし、当該枠設置面の外周縁部に枠部（４０）を更に備える、樹脂製ミラー。
【請求項４】
請求項１から請求項３までのいずれか１項に記載の樹脂製ミラーであって、
前記補強材は、発泡ポリエチレン製の芯材をアルミニウム製の板材で挟み込むように構成された板状部材であるアルミ複合板である、樹脂製ミラー。
【請求項５】
請求項１から請求項４までのいずれか１項に記載の樹脂製ミラーであって、
前記ミラー基材を構成する可撓性樹脂は、アクリル系樹脂である、樹脂製ミラー。
【請求項６】
請求項１から請求項５までのいずれか１項に記載の樹脂製ミラーであって、
前記反射フィルムは、ポリエチレンテレフタレートのフィルム基材とアルミニウムの反射層とにより構成された、樹脂製ミラー。
【発明の詳細な説明】
【技術分野】
【０００１】
本開示は、樹脂製ミラーに関する。
【背景技術】
【０００２】
像を反射させる反射面としてアルミニウムの層を蒸着等によりガラス製のミラー基材に貼設したガラス製ミラーが知られている。
しかし、ガラスは、外力により割れ、飛散する可能性があった。
【０００３】
これに対して、特許文献１には、ミラー基材であるガラスを可撓性のプラスチックに代替することにより、割れにくくした樹脂製ミラーが記載されている。
【先行技術文献】
【特許文献】
【０００４】
【特許文献１】特開２００７−１９０４３７号公報
【発明の概要】
【発明が解決しようとする課題】
【０００５】
しかしながら、ミラー基材である可撓性プラスチックは、撓みが発生しやすく、ミラー基材の撓みによって、ミラー基材に貼設された反射面に歪みが生じ、反射面により反射した像に歪みを生じさせる可能性があった。
【０００６】
本開示は、鏡像の歪みを抑制した樹脂製ミラーに関する技術を提供する。
【課題を解決するための手段】
【０００７】
本開示の一態様は、樹脂製ミラー（１）であって、ミラー基材（２０）と、反射フィルム（１０）と、補強材（３０）と、を備える。ミラー基材は、可撓性樹脂の板状部材である。反射フィルムは、ミラー基材の一方の面に貼設され、外部からの光を反射するシート材である。補強材は、ミラー基材において反射フィルムが貼設されている面と反対側の面に貼設された板状部材である。
【０００８】
このような構成によれば、樹脂製ミラーにおいて鏡像の歪みを抑制することができる。
なお、この欄及び特許請求の範囲に記載した括弧内の符号は、一つの態様として後述する実施形態に記載の具体的手段との対応関係を示すものであって、本開示の技術的範囲を限定するものではない。
【図面の簡単な説明】
【０００９】
【図１】樹脂製ミラーの層構成を示す断面図である。
【発明を実施するための形態】
【００１０】
以下、図面を参照しながら、本開示の実施形態を説明する。
［１．構成］
図１に示す樹脂製ミラー１は、反射フィルム１０、ミラー基材２０、補強材３０および枠部４０を備える。
【００１１】
＜反射フィルム＞
反射フィルム１０は、外部からの光を反射し、鏡像を映すフィルムである。反射フィルム１０は、フィルム基材１１と、フィルム基材１１の表面に形成された反射層１２とにより構成される。
【００１２】
フィルム基材１１には、材料として例えば、ポリエチレンテレフタレートが使用される。
反射層１２には、材料として例えば、アルミニウムが使用される。
すなわち、反射フィルム１０は、例えば、アルミ蒸着ＰＥＴフィルムである。ここでいうＰＥＴとは、ポリエチレンテレフタレートの略称である。
【００１３】
ただし、フィルム基材１１の材料は、ポリエチレンテレフタレートに限定されるものではなく、例えばアクリル系樹脂、ポリカーボネート系樹脂又は塩化ビニル樹脂などの種々の合成樹脂であってもよい。フィルム基材には、透明性が高いものが使用されることが望ましい。また、反射層１２の材料はアルミニウムに限定されるものではなく、鏡面反射を起こす種々の金属であってもよい。また、反射フィルム１０の生成方法は蒸着に限らず、周知の種々の方法であってもよい。
【００１４】
＜ミラー基材＞
ミラー基材２０は、貼設面を有する板状部材である。ミラー基材２０には例えば、可撓性樹脂が使用される。また、貼設面は反射フィルム１０を貼設する平面である。
【００１５】
貼設面の表面は、反射フィルム１０を貼設した際に反射フィルム１０の表面に像が歪むほどの凹凸ができない程度に、平滑に加工される。貼設面の表面を平滑に加工する方法は周知技術であるため詳細な説明は省略する。
【００１６】
ミラー基材２０への反射フィルム１０の貼設は、両面テープなどにより接着させることにより行われる。なお、両面テープなどによる接着方法は、周知技術であるため説明を省略する。
【００１７】
また、ミラー基材２０の貼設面には、反射フィルム１０のうち、反射層１２側の面が接触するように貼設される。すなわち、反射フィルム１０がミラー基材２０の貼設面に貼設された状態では、反射層１２に対してミラー基材２０と反対側にフィルム基材１１が配設される。これにより、反射層１２がフィルム基材１１により保護され、外部からの衝撃や擦過などにより反射層１２が削られることを抑制することができる。
【００１８】
ミラー基材２０に用いられる可撓性樹脂は、例えば、アクリル系樹脂、ポリカーボネート系樹脂又は塩化ビニル樹脂などの種々の合成樹脂であってもよい。また、ミラー基材２０は、可撓性樹脂により構成されるものに限定されるものではなく、ステンレスやアルミにより構成されてもよい。
【００１９】
＜補強材＞
補強材３０は、板状部材であり、その板面がミラー基材２０の貼設面とは反対側の面である基材補強面に貼設される。補強材３０は、熱に対する膨張、収縮がミラー基材２０に比して小さい材料が使用される。補強材３０には、例えば、アルミ複合板が使用される。アルミ複合板は、発泡ポリエチレン製の芯材をアルミニウム製の板材で挟み込んだ板状部材である。
【００２０】
補強材３０がミラー基材２０の基材補強面に貼設されることにより、鏡像に歪みが生じることを抑制することができる。すなわち、補強材３０は、熱に対する膨張、収縮がミラー基材２０に比して小さいため、ミラー基材２０が熱などによる伸縮又は波打ちを起こすことを抑制することができる。
【００２１】
また、補強材３０は、ミラー基材２０に比して軽量な材料が使用される。これにより、ミラー基材２０のみで構成する場合に比べ、樹脂製ミラー１全体として軽量化することができる。
【００２２】
なお、補強材３０はアルミ複合板に限定されるものではなく、芯材が発泡ポリスチレン以外の材料で構成されていてもよい。芯材は、例えばハニカム材や、セラミック系人造木材により構成されてもよい。ここで、ハニカム材とは、面方向に沿った断面構造が六角形を隙間なく並べたハニカム構造を有するアルミニウム製の芯材をいう。また、セラミック系人造木材とは、例えばケイ酸カルシウム水和物の一種であるゾノトライト、合成繊維及びガラス繊維により構成される材料をいう
＜枠部＞
枠部４０は、補強材３０の基材補強面とは反対側の面である枠設置面の外周縁部に設置される。枠部４０は例えば長方形状の枠である。枠部４０は、例えば、アルミニウムなどの金属により形成される。枠部４０と補強材３０とは、例えばコーキングにより接着される。
【００２３】
［２．効果］
以上詳述した実施形態によれば、以下の効果を奏する。
（１）上述した実施形態に記載の樹脂製ミラーによれば、ミラー基材２０が補強材３０により、補強されることにより、ミラー基材２０の熱による伸縮や、波打ちが抑制されるため、ミラー基材２０の伸縮や波打ちによって生じる凹凸に起因した、鏡像の歪みを防止することができる。
【００２４】
（２）上述した実施形態に記載の樹脂製ミラーによれば、ミラー基材２０が補強材３０により面で補強されているため、枠のみで補強する場合にくらべ、局所的な歪みを抑制することができ、鏡像の局所的な歪みが生じることを抑制することができる。
【００２５】
（３）特に全身を映し出すような大型の鏡に適用された場合、枠部分を大型化する必要がなく、補強材３０によりミラー基材２０全体の歪みを抑制することができる。
［３．他の実施形態］
以上、本開示の実施形態について説明したが、本開示は上述の実施形態に限定されることなく、種々変形して実施することができる。
【００２６】
上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【符号の説明】
【００２７】
１…樹脂製ミラー、１０…反射フィルム、１１…フィルム基材、１２…反射層、２０…ミラー基材、３０…補強材、４０…枠部。
【図１】
2019219445.tif 000003